【手続補正書】
【提出日】平成19年5月11日(2007.5.11)
【手続補正１】
【補正対象書類名】明細書
【補正対象項目名】特許請求の範囲
【補正方法】変更
【補正の内容】
【特許請求の範囲】
【請求項１】光透過性材料内に封止された発光素子を有する複数の発光ダイオードと、該複数の発光ダイオードが表面実装された一つまたは複数の基板と、前記複数の発光ダイオードのそれぞれに対応し、且つ一体化した状態で発光ダイオードの光の放射方向に配置される複数の光学手段とを備える光源装置において、
前記光学手段は、対応する発光ダイオードの中心軸線を取り巻く態様で略環状に形成される反射凹面を含めて構成されるとともに、該反射凹面の形状が、前記対応する発光ダイオードからの光を反射して前記中心軸線を中心とする環状の集光領域内に集光させる形状に設定される
ことを特徴とする光源装置。
【請求項２】請求項１に記載の光源装置において、
前記光学手段の平面積は、対応する発光ダイオードの放射面の面積の４倍以上の大きさに設定される
ことを特徴とする光源装置。
【請求項３】請求項１または２に記載の光源装置において、
前記反射凹面は、前記集光領域の径方向の中間点を一つの焦点とし、前記発光ダイオードをもう一つの焦点とする楕円弧について、これを前記中心軸線の周りで回転させることにより得られる形状に設定される
ことを特徴とする光源装置。
【請求項４】請求項１〜３のいずれか一項に記載の光源装置において、
前記基盤は、前記中心軸線を中心とする円弧に沿う形状の光学的開口部が前記複数の発光ダイオードのそれぞれに対応して設けられ、且つ前記光学的開口部を除いた部分が遮光部として構成されるものであり、前記環状の集光領域は、前記光学的開口部にほぼ重なる態様で設定されるものである
ことを特徴とする光源装置。
【請求項５】複数の発光ダイオードが表面実装された基盤を備える光源装置の製造方法において、
対応する発光ダイオードの中心軸線を取り巻く態様で略環状に形成される反射凹面を含めて構成されるとともに、該反射凹面の形状が、前記対応する発光ダイオードからの光を反射して前記中心軸線を中心とする環状の集光領域内に集光させる形状に設定される光学手段について、これが複数まとめて一体化されてなる光学手段群を複数準備する工程と、
光透過性材料内に封止された発光素子を有する複数の発光ダイオードを基盤上に表面実装する工程と、
前記複数の光学手段群を前記発光ダイオードの光の放射方向において互いに隣接させた状態で配置することにより、前記基板上に表面実装された前記複数の発光ダイオードと前記複数の光学基体群の光学手段のそれぞれとを対応させる工程とを備えてなる
ことを特徴とする光源装置の製造方法。
【手続補正２】
【補正対象書類名】明細書
【補正対象項目名】００１３
【補正方法】変更
【補正の内容】
【００１３】
【課題を解決するための手段】
（１）請求項１に記載の発明は、光透過性材料内に封止された発光素子を有する複数の発光ダイオードと、該複数の発光ダイオードが表面実装された一つまたは複数の基板と、前記複数の発光ダイオードのそれぞれに対応し、且つ一体化した状態で発光ダイオードの光の放射方向に配置される複数の光学手段とを備える光源装置において、前記光学手段は、対応する発光ダイオードの中心軸線を取り巻く態様で略環状に形成される反射凹面を含めて構成されるとともに、該反射凹面の形状が、前記対応する発光ダイオードからの光を反射して前記中心軸線を中心とする環状の集光領域内に集光させる形状に設定されることを要旨としている。
【手続補正３】
【補正対象書類名】明細書
【補正対象項目名】００１７
【補正方法】変更
【補正の内容】
【００１７】
このように、基板への発光ダイオードの表面実装と、各発光ダイオードに対応するように各光学手段を一体化したこととの相乗効果により、配光特性に優れた光源装置を効率的に量産することができる。
また、光学手段として反射面を有する光源装置において良好な配光特性を実現することができる。
さらに上記発明によれば、各発光ダイオードが発する光量のほぼ全てがそれと対応する反射凹面によって受光され、その反射凹面での反射光は環状の集光領域内に集められ、かつ該集光領域を通過して外部に投光される。環状の集光領域は前記中心軸線から所定距離だけ離れて存在するため、該中心軸線上に位置する発光ダイオードが反射凹面での反射光を捕らえることはない。そして、発光ダイオードから発された光が外部に投光されるまでに、その光路には光を遮る内部構造はほとんど存在しない。このように、発光ダイオードが発する光量のほぼ全てが有効に外部に投光されるため、光の外部放射効率が極めて高い。
また、各発光ダイオードから発された光は、反射凹面で反射後、環状集光領域を介して外部に投光されるため、光源装置の正面側から見れば、一つの発光ダイオードから一定の面積を占める環状または円弧状の光の帯が作り出される。光源装置は複数の発光ダイオード及びそれらに対応する複数の反射凹面を備えているため、光源装置全体として、その正面側全体が均一な光で満たされているが如き視覚的効果を生み出す。このことは、発光ダイオードの実装密度を過度に高めなくとも、発光面（光源装置の正面）の全体を隙間のない自然な外観とすることを可能とする。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
（２）請求項２に記載の発明は、請求項１に記載の光源装置において、前記光学手段の平面積は、対応する発光ダイオードの放射面の面積の４倍以上の大きさに設定されることを要旨としている。
ちなみに、光学手段の平面積が上記放射面の面積の４倍未満の場合には、光学手段における十分な配光特性が得られない。
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】変更
【補正の内容】
【００２４】
（３）請求項３に記載の発明は、請求項１または２に記載の光源装置において、前記反射凹面は、前記集光領域の径方向の中間点を一つの焦点とし、前記発光ダイオードをもう一つの焦点とする楕円弧について、これを前記中心軸線の周りで回転させることにより得られる形状に設定されることを要旨としている。
【手続補正１１】
【補正対象書類名】明細書
【補正対象項目名】００２６
【補正方法】変更
【補正の内容】
【００２６】
（４）請求項４に記載の発明は、請求項１〜３のいずれか一項に記載の光源装置において、前記基盤は、前記中心軸線を中心とする円弧に沿う形状の光学的開口部が前記複数の発光ダイオードのそれぞれに対応して設けられ、且つ前記光学的開口部を除いた部分が遮光部として構成されるものであり、前記環状の集光領域は、前記光学的開口部にほぼ重なる態様で設定されるものであることを要旨としている。
【手続補正１２】
【補正対象書類名】明細書
【補正対象項目名】００２８
【補正方法】変更
【補正の内容】
【００２８】
（５）複数の発光ダイオードが表面実装された基盤を備える光源装置の製造方法において、対応する発光ダイオードの中心軸線を取り巻く態様で略環状に形成される反射凹面を含めて構成されるとともに、該反射凹面の形状が、前記対応する発光ダイオードからの光を反射して前記中心軸線を中心とする環状の集光領域内に集光させる形状に設定される光学手段について、これが複数まとめて一体化されてなる光学手段群を複数準備する工程と、光透過性材料内に封止された発光素子を有する複数の発光ダイオードを基盤上に表面実装する工程と、前記複数の光学手段群を前記発光ダイオードの光の放射方向において互いに隣接させた状態で配置することにより、前記基板上に表面実装された前記複数の発光ダイオードと前記複数の光学基体群の光学手段のそれぞれとを対応させる工程とを備えてなることを要旨としている。
【手続補正１３】
【補正対象書類名】明細書
【補正対象項目名】００２９
【補正方法】変更
【補正の内容】
【００２９】
上記発明は、請求項１〜４のいずれか一項に記載の光源装置の製造方法に関するものであり、その技術的意義は前述の通りである。なお、この方法において、基板に表面実装される発光ダイオードがトランスファーモールド法により製造されていることが好ましい。